(57)【特許請求の範囲】
【請求項１】
物品を搬送するための搬送用トレイであって、
前記物品を収納する複数の収納部が行列状に配列されているトレイ本体を含み、
前記収納部は、
前記物品を載置する載置面と、
前記載置面の周囲に形成され、前記載置面から上向きに突出する側壁と、
前記載置面の一部に形成され、前記載置面から下向きに窪む凹状部と、
前記凹状部の内面に設けられた粘着部材とを有し、
前記凹状部は、行方向あるいは列方向に並ぶ複数の収納部に跨って延びる直線状溝によって形成され、この直線状溝が、前記複数の収納部の行あるいは列毎に設けられており、
前記直線状溝は、前記直線状溝の長手方向と垂直な方向における断面形状で、前記粘着部材が設けられた底面と、この底面から上部に向かって広がるように傾斜した側面とを有し、
前記粘着部材の上面は、前記載置面よりも下側に位置している、搬送用トレイ。
【請求項２】
前記粘着部材は、半固体状の粘着剤である、請求項１に記載の搬送用トレイ。
【請求項３】
前記直線状溝の前記断面形状は逆台形形状であり、
前記粘着部材は粘着テープであり、該直線状溝の底面の全面に貼り付けられている、請求項１に記載の搬送用トレイ。
【請求項４】
前記直線状溝の前記断面形状は逆台形形状であり、
前記粘着部材は粘着剤であり、該直線状溝の内面に、該直線状溝の底面から該直線状溝の側面に広がるよう塗布されている、請求項１に記載の搬送用トレイ。
【請求項５】
前記直線状溝の前記断面形状は逆三角形形状であり、
前記粘着部材は粘着剤であり、該直線状溝内にその全長に渡って充填されている、請求項１に記載の搬送用トレイ。
【請求項６】
前記凹状部が、前記載置面に形成された第１の凹部と、該第１の凹部の底面に形成された第２の凹部とを含む２段の凹状構造となるように、前記直線状溝をその上部の幅がその下部の幅より広い構造とし、
該第２の凹部内面に前記粘着部材を付着した、請求項１に記載の搬送用トレイ。
【請求項７】
前記側壁には、前記側壁の表面から内向きに突出するよう突出部が形成されている、請求項１から請求項６のいずれか１項に記載の搬送用トレイ。
【請求項８】
前記粘着部材は導電性を有している、請求項１から請求項７のいずれか１項に記載の搬送用トレイ。
【請求項９】
前記物品は、固体撮像装置の光学系を構成するレンズと、該光学系における該レンズを駆動する駆動機構とを含む電子部品である、請求項８に記載の搬送用トレイ。
【請求項１０】
前記粘着部材は絶縁性を有している、請求項１から請求項９のいずれか１項に記載の搬送用トレイ。
【請求項１１】
前記粘着部材は透明部材で構成されている、請求項１から請求項９のいずれか１項に記載の搬送用トレイ。
【請求項１２】
前記粘着部材は着色部材で構成されている、請求項１から請求項９のいずれか１項に記載の搬送用トレイ。
【発明の詳細な説明】
【技術分野】
【０００１】
本発明は、搬送用トレイに関し、特に、電子機器あるいはその部品などの物品を搬送する搬送用トレイにおいて、物品から脱落したゴミや異物を捕獲する構造に関するものである。
【背景技術】
【０００２】
従来から電子機器あるいはその部品などの物品の搬送には、物品を収納する複数の収納部を有する搬送用トレイが用いられている。
【０００３】
図６は、従来の搬送用トレイを説明する図であり、図６（ａ）は、この搬送用トレイで搬送する電子部品を示す斜視図であり、図６（ｂ）は、この搬送用トレイを示す平面図であって、その一部（Ｘ６部分）について具体的な構造を示している。図７は、図６（ｂ）のＡ６−Ａ６’線部分の断面構造を示している。
【０００４】
図６に示す搬送用トレイ２は、例えば、携帯電話に組み込まれる固体撮像装置の光学系を構成する電子部品Ｐを搬送するものである。
【０００５】
ここで、電子部品Ｐは、その筐体３０の開口部３０ａに光軸方向に移動可能に設けられたレンズ（図示せず）と、このレンズを駆動するレンズ駆動機構（図示せず）とを有している。
【０００６】
また、この搬送用トレイ２は、プラスチック製シートの真空成形により形成したトレイ容器１０からなり、このトレイ容器１０は、電子部品Ｐを収納する収納部として、その上面１１に形成された凹部２０からなる部品収納ポケットＰｓを有している。この部品収納ポケットＰｓの内部のスペースは、部品収納ポケットＳｐの側壁２０ａにより囲まれており、この部品収納ポケットＳｐに収納された電子部品Ｐは、搬送用トレイ２の搬送中、部品収納ポケットＳｐ内に保持されることとなる。
【０００７】
この部品収納ポケットＳｐは、図７に示すように電子部品Ｐの出し入れのしやすさなどを考慮して２段構造となっており、１段目の凹部２１は、その側壁２１ａと、収納ポケットＳｐに収納された電子部品Ｐの側面との間に広い間隔Ｓ１が介在するように形成されており、また、２段目の凹部２２は、その側壁２２ａと、部品収納ポケットＳｐに収納された電子部品Ｐの側面とが接触しない程度の狭い間隔Ｓ２が介在するように形成されている。
【０００８】
さらに、この２段目の凹部２２の側壁２２ａには、部品収納ポケットＳｐに収納された電子部品Ｐの側面に当接してこの電子部品Ｐを固定するための当接リブ２２ｂが、該側壁２２ａの内面から隆起するように形成されている。また、凹部２１および２２の側壁２１ａおよび２２ａの上部は滑らかに外側に反った形状となっており、電子部品Ｐを部品収納ポケットＳｐに収納しやすくなっている。なお、上記広い間隔Ｓ１は、ピンセットなどの先端が入る程度の間隔にすることで電子部品Ｐの出し入れが容易となる。
【０００９】
なお、特許文献１ないし特許文献３には、このような物品の搬送用トレイが開示されており、つまり、物品を搬送するトレイとして、このトレイを構成するトレイ容器に電子部品を収納するための部品収納ポケットが形成され、この部品収納ポケットに電子部品を収納保持して運搬するようにしたものが一般に知られている。
【００１０】
また、特許文献３には、このような搬送用トレイでは、部品収納ポケットが電子部品の寸法よりも大きく設計されるため、輸送中の衝撃で電子部品が部品収納ポケットの内壁に衝突して傷付いたり、トレイ自体が電子部品との摩擦で削れて削れカスが発生したりすることがあるという問題を、搬送用トレイ内で電子部品を固定することにより解消し、しかも搬送用トレイから電子部品を取り出し難くならないようにしたものが開示されている。
【００１１】
つまり、図８は、この特許文献３に開示の搬送用トレイを説明する図であり、図８（ａ）は、この特許文献３に開示の一般的な搬送用トレイを示し、図８（ｂ）は、この特許文献３に開示の改良された搬送用トレイを示している。
【００１２】
簡単に説明すると、一般的な搬送用トレイ２００は、図６に示す搬送用トレイと同様に、樹脂製のトレイ容器２００ａの底面部２０５に複数の部品収納ポケット２０１を形成してなるものであり、一つの部品収納ポケット２０１に１つの電子部品２０３を収納するように構成されている。ここで、部品収納ポケット２０１の寸法は電子部品２０３よりもやや大きく設計されており、電子部品２０３と部品収納ポケット２０１の内壁面との間には隙間が設けてある。
【００１３】
このような搬送用トレイ２００に電子部品２０３を収納して輸送した場合、電子部品２０３が、部品収納ポケット２０１内での移動により部品収納ポケット２０１の壁面と衝突して変形したり、この衝突により搬送用トレイ２００を構成する樹脂が削れて樹脂粉が発生したりするなどの問題があった。
【００１４】
一方、図８（ｂ）に示す改良された搬送用トレイ２１０は、断面凹型構造の容器２１２と、この容器２１２の底面２１５の全面に設けられた、自己吸着層を有する自己吸着シート２１３とを有している。
【００１５】
この搬送用トレイ２１０では、これを構成する断面凹型構造の容器２１２の底面２１５に自己吸着層を有する自己吸着シート２１３を設けたことで、容器２１２の底面２１５に設けた自己吸着シート２１３に電子部品（図示せず）を密着させて固定することができ、しかも自己吸着シート３は粘着性をほとんど有していないので、この容器からの電子部品の取り出しを小さな力で容易に行えるようになっている。
【先行技術文献】
【特許文献】
【００１６】
【特許文献１】特開平７−２５７６８２号公報
【特許文献２】特開２００６−１８８２７７号公報
【特許文献３】特開２００６−６９６３３号公報
【発明の概要】
【発明が解決しようとする課題】
【００１７】
ところが、従来の搬送用トレイでは、第１に、搬送時の振動により、搬送用トレイに収納されている電子部品の内部に内在する異物やゴミなどが脱落し、電子部品の表面へ付着すると、電子部品の受け入れ時の外観検査で不良とされるという問題がある。
【００１８】
また、第２に、電子部品から脱落した内在異物が電子部品の内部に再付着して撮像不良となる場合がある。つまり、電子部品が固体撮像装置の構成部品である場合には、異物が浮遊異物として、撮像領域上あるいはレンズ上に付着すると、撮像不良となるという問題がある。
【００１９】
さらに、第３には、脱落した内在異物が電子部品の内部に再付着して機械的な動作不良となることがある。例えば、電子部品が固体撮像装置の光学系を構成するモジュールである場合、脱落した内在異物がこのモジュールのバネ等に付着すると、動作不良となるという問題がある。
【００２０】
なお、特許文献３に開示の改良型の搬送用トレイでは、搬送する電子部品を自己吸着シートにより固定するようにしているが、自己吸着シートはほとんど粘着性を有しておらず、脱落した内部異物を捕獲できるものではなく、この改良型の搬送用トレイにおいても上述した第１から第３の問題がある。
【００２１】
本発明は、上記のような問題点を解決するためになされたものであり、電子機器あるいはその部品などの物品の搬送中に該物品から脱落した内部異物やゴミを捕獲して、物品への内部異物などの再付着を防ぐことができ、これにより、脱落した内部異物などの再付着による物品の歩留まりの低下を抑えるとともに、物品の清浄性を高めることができ、その結果、製品として、信頼性が高く、品質劣化のない電子機器などの物品を高い歩留まりで提供可能とする搬送用トレイを得ることを目的とする。
【課題を解決するための手段】
【００２２】
本発明に係る搬送用トレイは、物品を搬送するための搬送用トレイであって、前記物品を収納する複数の収納部が行列状に配列されているトレイ本体を含み、前記収納部は、前記物品を載置する載置面と、前記載置面の周囲に形成され、前記載置面から上向きに突出する側壁と、前記載置面の一部に形成され、前記載置面から下向きに窪む凹状部と、前記凹状部の内面に設けられた粘着部材とを有し、前記凹状部は、行方向あるいは列方向に並ぶ複数の収納部に跨って延びる直線状溝によって形成され、この直線状溝が、前記複数の収納部の行あるいは列毎に設けられており、前記直線状溝は、前記直線状溝の長手方向と垂直な方向における断面形状で、前記粘着部材が設けられた底面と、この底面から上部に向かって広がるように傾斜した側面とを有し、前記粘着部材の上面は、前記載置面よりも下側に位置しており、そのことにより上記目的が達成される。
【００２３】
前記粘着部材は、半固体状の粘着剤である。
【００２６】
本発明は、上記搬送用トレイにおいて、前記直線状溝の前記断面形状は逆台形形状であり、前記粘着部材は粘着テープであり、該直線状溝の底面の全面に貼り付けられていることが好ましい。
【００２７】
本発明は、上記搬送用トレイにおいて、前記直線状溝の前記断面形状は逆台形形状であり、前記粘着部材は粘着剤であり、該直線状溝の内面に、該直線状溝の底面から該直線状溝の側面に広がるよう塗布されていることが好ましい。
【００２８】
本発明は、上記搬送用トレイにおいて、前記直線状溝の前記断面形状は逆三角形形状であり、前記粘着部材は粘着剤であり、該直線状溝内にその全長に渡って充填されていることが好ましい。
【００２９】
本発明は、上記搬送用トレイにおいて、前記凹状部が、前記載置面に形成された第１の凹部と、該第１の凹部の底面に形成された第２の凹部とを含む２段の凹状構造となるように、前記直線状溝をその上部の幅がその下部の幅より広い構造とし、該第２の凹部内面に前記粘着部材を付着していることが好ましい。
【００３０】
本発明は、上記搬送用トレイにおいて、前記側壁には、前記側壁の表面から内向きに突出するよう突出部が形成されていることが好ましい。
【００３１】
本発明は、上記搬送用トレイにおいて、前記粘着部材は導電性を有していることが好ましい。
【００３２】
本発明は、上記搬送用トレイにおいて、前記物品は、固体撮像装置の光学系を構成するレンズと、該光学系における該レンズを駆動する駆動機構とを含む電子部品であることが好ましい。
【００３３】
本発明は、上記搬送用トレイにおいて、前記粘着部材は絶縁性を有していることが好ましい。
【００３４】
本発明は、上記搬送用トレイにおいて、前記粘着部材は透明部材で構成されていることが好ましい。
【００３５】
本発明は、上記搬送用トレイにおいて、前記粘着部材は着色部材で構成されていることが好ましい。
【００３６】
次に作用について説明する。
【００３７】
本発明においては、搬送用トレイにおいて、凹状部の内面に粘着部材を設けた構造としたので、物品をこの搬送用トレイに収納して搬送する搬送途中で、該物品から脱落した内部異物やゴミは、凹状部の内面に設けた粘着部材により捕獲され、これにより物品への内部異物などの再付着を防ぐことができる。
【００３８】
このため、内部異物などの再付着による物品の歩留まりの低下を抑制する、つまり不良率を低減するとともに、物品の清浄性を高めることができ、その結果、電子部品Ｐを組み込んだ製品として、信頼性が高く、品質劣化のない電子機器などの物品を高い歩留まりで提供することができる。
【００３９】
また、本発明においては、上記トレイ本体では、複数の収納部を行列状に配列し、この収納部の凹状部を形成する直線状溝を、行方向あるいは列方向に並ぶ複数の収納部に跨って延びるように、該複数の収納部の行あるいは列毎に設けているので、凹状部の内面に粘着部材を付着する作業は、粘着部材としての粘着テープ、例えば、両面粘着性のシート及びフィルム状の部材を、該直線状溝内に貼り付けることで、作業性よく行うことができる。
【００４０】
また、本発明においては、粘着部材の上面を載置面よりも下側に位置させることで、粘着部材を、収納部に収納された物品に接触しないように設けているので、物品への粘着部材の転写の問題は基本的に発生しない。
【００４１】
ただし、粘着テープとして、粘着テープに含まれる粘着剤が無色のものを用いることにより、搬送用トレイへの物品の出し入れの作業中などに何らかに原因で粘着剤が物品に付着した場合でも、外観上あまり目立たないようにすることができ、一方、粘着テープとして、粘着テープに含まれる粘着剤が色付きのものを用いることにより、上記のように搬送用トレイへの物品の出し入れの作業中などに粘着剤が物品に付着した場合には、物品の粘着剤が付着した場所を見つけやすくなり、従って、物品への粘着剤の付着が物品の歩留まりを低下させる場合には、物品に付着した粘着剤を除去して物品の歩留まり低下を抑えるのに有効である。
【００４２】
さらに、本発明においては、粘着部材として導電性を有するものを用いているので、プラスチック製のトレイ本体に帯電した電荷を粘着部材により逃がすことができ、各収納部に収容された物品の特性が帯電により劣化するのを回避することができる。
【００４３】
また、本発明においては、搬送用トレイでは、物品の凹状部を形成する直線状溝を、行方向に並ぶ複数の収納部に跨って延びるように形成しているので、この直線状溝がトレイ本体の補強溝として機能することとなり、搬送用トレイの直線状溝の延びる方向における湾曲が生じ難い構造とすることができる。
【００４４】
また、本発明においては、搬送用トレイでは、収納部の、粘着部材を設ける凹状部を、収納部の物品を載置する載置面に形成された第１の凹部と、該第１の凹部の底面に形成された第２の凹部とを含む２段の凹状構造とし、第２の凹部の底面に粘着部材を設けているので、粘着部材として半固体状の粘着剤を用い、この粘着剤を第２の凹部の底面に塗布する際に、粘着剤の塗布量が多すぎて粘着剤が第２の凹部を溢れた場合でも、第２の凹部の上側にこれより幅の広い第１の凹部が形成されていることから、粘着剤が収納部の載置面に載置された物品の裏面に付着し難い。
【００４５】
また、本発明においては、搬送用トレイでは、収納部の、粘着部材を設ける凹状部を断面逆三角形形状としたので、この収納部内に粘着部材として塗布する半固体状の粘着剤の量を少なくすることができ、材料費の削減を図ることができ、また、このような搬送トレイを構成するトレイ容器の形成金型は、粘着部材を設ける凹状部を形成する直線状溝の形状がＶ字形状となることから作りやすくなる。
【発明の効果】
【００４６】
以上のように、本発明によれば、物品を搬送するための搬送用トレイにおいて、凹状部の内面に粘着部材を設けた構造としたので、電子機器あるいはその部品などの物品の搬送中に該物品から脱落した内部異物やゴミを粘着部材により捕獲して、物品への内部異物などの再付着を防ぐことができ、これにより、内部異物などの再付着による物品の歩留まりの低下を抑えるとともに、物品の清浄性を高めることができ、その結果、製品として、信頼性が高く、品質劣化のない電子機器などの物品を高い歩留まりで提供可能とする搬送用トレイを得ることができる。
【図面の簡単な説明】
【００４７】
【図１】図１は、本発明の実施形態１による搬送用トレイを説明する図であり、図１（ａ）は、この搬送用トレイで搬送する電子部品を示す斜視図であり、図１（ｂ）は、この搬送用トレイを示す平面図であって、その一部（Ｘ１部分）について具体的な構造を示している。
【図２】図２は、本発明の実施形態１による搬送用トレイを説明する平面図であり、この搬送用トレイにおける電子部品を収納する収納部の構造を拡大して示している。
【図３】図３は、本発明の実施形態１による搬送用トレイを説明する断面図であり、図１（ｂ）のＡ１−Ａ１’線部分の断面構造を示している。
【図４】図４は、本発明の実施形態２による搬送用トレイを説明する断面図であり、図１（ｂ）のＡ１−Ａ１’線部分に相当する断面の構造を示している。
【図５】図５は、本発明の実施形態３による搬送用トレイを説明する断面図であり、図１（ｂ）のＡ１−Ａ１’線部分に相当する断面の構造を示している。
【図６】図６は、従来の搬送用トレイを説明する図であり、図６（ａ）は、この搬送用トレイで搬送する電子部品を示す斜視図であり、図６（ｂ）は、この搬送用トレイを示す平面図であって、その一部（Ｘ６部分）について具体的な構造を示している。
【図７】図７は、従来の搬送用トレイを説明する断面図であり、図６（ｂ）のＡ６−Ａ６’線部分の断面構造を示している。
【図８】図８は、特許文献３に開示の搬送用トレイを説明する図であり、図８（ａ）は、この特許文献３に開示の一般的な搬送用トレイを示し、図８（ｂ）は、この特許文献３に開示の改良された搬送用トレイを示している。
【発明を実施するための形態】
【００４８】
以下、本発明の実施形態について図面を参照しながら説明する。
【００４９】
（実施形態１）
図１は、本発明の実施形態１による搬送用トレイを説明する図であり、図１（ａ）は、この搬送用トレイで搬送する物品を示す斜視図であり、図１（ｂ）は、この搬送用トレイを示す平面図であって、その一部（Ｘ１部分）について具体的な構造を示している。図２は、この搬送用トレイの収納部の構造を拡大して示し、図３は、図１（ｂ）のＡ１−Ａ１’線部分の断面構造を示している。
【００５０】
この実施形態１の搬送用トレイ１００は、複数の物品Ｐを搬送するための搬送用トレイである。ここでは、物品Ｐは、図６（ａ）に示す電子部品と同一のものであり、固体撮像装置の光学系を構成する、レンズおよびレンズを駆動するレンズ駆動機構を一体化した光学モジュール（電子部品）である。この光学モジュールＰの筐体３０の開口部３０ａにはレンズ（図示せず）が光軸方向に移動可能に保持されており、また、筐体３０内には、このレンズを駆動するバネ部材、電磁コイル、および永久磁石などがレンズ駆動機構（図示せず）として搭載されている。
【００５１】
なお、搬送される物品は、上記のような光学モジュールに限定されるものではなく、携帯電話等の電子機器に搭載されるカメラモジュール、つまり、イメージセンサチップと上記光学モジュールとを組み合わせたもの、あるいはこのようなカメラモジュールを備えたモバイル機器などの電子機器であってもよい。
【００５２】
この搬送用トレイ１００は、上記物品（電子部品）Ｐを収納する複数の収納部（部品収納ポケット）Ｓｐ１を形成したトレイ本体１１０を有しており、このトレイ本体１１０では、複数の部品収納ポケットＳｐ１が図１に示すように行列状に配列されている。ここでは、トレイ本体１１０として、プラスチック製シートを真空吸引により成型したものを用いている。
【００５３】
個々の部品収納ポケットＳｐ１は、図３に示すように電子部品Ｐの出し入れのしやすさなどを考慮して、電子部品を保持する保持凹部１２０を２段構造としている。つまり、部品収納ポケットＳｐ１の保持凹部１２０を構成する１段目の凹部１２１は、その側壁１２１ａと、部品収納ポケットＳｐ１に収納された電子部品Ｐの側面Ｐｓｓとの間に広い間隔Ｓ１が介在するように形成されている。また、部品収納ポケットＳｐ１の保持凹部１２０を構成する２段目の凹部１２２は、その側壁１２２ａと、部品収納ポケットＳｐ１に収納された電子部品Ｐの側面Ｐｓｓとが接触しない程度の狭い間隔Ｓ２が介在するように形成されており、この２段目の凹部１２２の側壁１２２ａには、部品収納ポケットＳｐ１に収納された電子部品Ｐの側面Ｐｓｓに当接してこの電子部品Ｐを固定するための当接リブ（突出部）１２２ｂが、側壁１２２ａの内面から隆起するように形成されている。また、１段目の凹部１２１および２段目の凹部１２２の側壁１２１ａおよび１２２ａの上部は滑らかに外側に反った形状となっており、電子部品Ｐを部品収納ポケットＳｐ１に収納しやすくなっている。なお、上記広い間隔Ｓ１は、ピンセットなどの先端が入る程度の間隔にすることで、電子部品Ｐの出し入れがさらに容易となる。
【００５４】
また、部品収納ポケットＳｐ１では、２段目の凹部１２２の底面が物品Ｐを載置する載置面１１１となっており、この載置面１１１の一部には、該載置面１１１上に載置された物品Ｐの下側に空間Ｕｓが形成されるように凹状部１３０が形成されている。
【００５５】
つまり、トレイ本体１１０には、上記凹状部１３０を形成する直線状溝１４０が、行方向（図１（ｂ）の紙面左右方向）に並ぶ複数の部品収納ポケットＳｐ１に跨って延びるように、部品収納ポケットＳｐ１の行毎に設けられている。この直線状溝１４０のその長手方向と垂直な断面での形状は、図３に示すように逆台形形状であり、各直線状溝１４０の底面１４１には、直線状溝１４０の全長に渡って、導電性を有する粘着テープＡｍがゴミや異物などを補足する粘着部材として貼り付けられている。上記のような載置面１１１の下側の凹状部１３０を直線状溝１４０により形成することで、凹状部１３０の底面に粘着テープＡｍを貼り付け易くなる。
【００５６】
なお、ここでは、粘着テープＡｍは、部品収納ポケットＳｐ１に収納された電子部品Ｐの底面に接触しないように設けているが、粘着テープＡｍが電子部品Ｐの底面に接触しても転写しない性質のものである場合は、粘着テープＡｍは、部品収納ポケットＳｐ１に収納された電子部品Ｐの下面に接触してもよい。この場合、粘着テープＡｍにより電子部品Ｐを固定することが可能となる。
【００５７】
また、各部品収納ポケットＳｐ１の凹状部１３０を形成する直線状溝１４０は、行方向に並ぶ複数の部品収納ポケットＳｐ１に跨って延びるように形成しているが、これは、列方向（図１（ｂ）の紙面上下方向）に並ぶ複数の部品収納ポケットＳｐ１に跨って延びるように形成してもよい。また、この直線状溝１４０のその長手方向と垂直な断面での形状は、逆台形形状に限定されるものではなく、長方形形状でもよい。また、上記粘着テープとしては、搬送する電子部品が帯電による影響を受けないものである場合には絶縁性を有するものを用いることもできる。
【００５８】
また、粘着部材として用いる粘着テープは、特に種類を限定されるものではないが、例えば、両面粘着性のシート及びフィルム状の部材であり、例えば、ポリオレフィン系被着体に適した、ポリエステルテープとアクリル系粘着材とを組み合わせたものである。
【００５９】
なお、粘着部材は粘着テープに限定されるものではなく、粘着剤を塗布して、乾燥などによりゲル状に固めたものでもよい。この粘着剤としては、半固体状（または固体に近い状態）の油脂や樹脂を用いることができ、導電性ウレタンゲル状、グリース状のものが好適である。
【００６０】
さらに、グリースは、半固体状または液体に近い、油脂の一種であり、例えば、グリース状の粘着剤は、半固体状（または固体に近い状態）の潤滑剤、または、ペースト状の潤滑剤から構成することができる。
【００６１】
グリース状の粘着剤としては、例えば、二硫化モリブデン系潤滑剤，白色系潤滑剤，シリコーン系潤滑剤，パーフルオロポリエーテル系潤滑剤などを用いることができる。また、グリース状の粘着剤として、鉱油を主成分とする鉱油系グリース，ポリα−オレフィン油を主成分とするポリα−オレフィン系グリース，シリコーンオイルを主成分とするシリコーン系グリース，フルオロシリコーン系グリース，パーフルオロポリエーテルを主成分とするパーフルオロポリエーテル系グリースなどを用いることができる。
【００６２】
これらのグリースは、単独または２種以上を混合して用いることができる。また、グリースは、例えば、リチウム石鹸，カルシウム石鹸，ポリテトラフルオロエチレン（ＰＴＦＥ）など、グリース用の添加物を含むものであってもよい。
【００６３】
さらに、粘着剤は、透明のものでも、あるいは白色を含む着色されたものでもよく、透明のものを用いた場合は、粘着剤が物品に付着しても物品の外観上目立つことがなくなり、一方、着色されたものを用いた場合は、物品の粘着剤が付着した場所を見つけやすくなり、物品への粘着剤の付着が物品の歩留まりを低下させる場合には、物品に付着した粘着剤を除去して物品の歩留まり低下を抑えるのに有効である。
【００６４】
また、粘着剤としてのグリースを２種類以上混合することで、粘着剤の特性として、導電性あるいは絶縁性、色の有無、塗布のし易さ、耐熱性、気化し易さ、コストなどを調整することができる。
【００６５】
また、粘着部材として粘着剤を塗布したものを用いる場合は、粘着部材は、各直線状溝１４０の底面１４１だけでなく、粘着剤の表面張力による這い上がりを利用してその側面にも簡単に形成することもでき、これにより、物品から脱落した異物やゴミなどをより効果的に捕獲することが可能となる。
【００６６】
次に、作用効果について説明する。
【００６７】
本実施形態１の搬送用トレイ１００により、例えば、電子部品Ｐとして図１（ａ）に示す光学モジュールを搬送する場合は、複数の部品収納ポケットＳｐ１の各々に光学モジュールを収納した搬送用トレイ１００を複数積み重ね、最上段には空の搬送用トレイを配置して蓋部材として用い、このように複数の搬送用トレイを積み重ねた状態で搬送する。
【００６８】
これにより各搬送用トレイに収納された電子部品（光学モジュール）Ｐが搬送用トレイとともに搬送されることとなる。
【００６９】
ここで、搬送用トレイ１００に電子部品Ｐを収納する作業は、人がピンセットなどの器具を用いて行っても、あるいは収納装置により自動で行ってもよく、さらに、電子部品Ｐを収納した搬送用トレイ１００を積み重ねる作業も、人手によってあるいはトレイ積重装置などにより自動で行ってもよい。
【００７０】
そして、搬送用トレイ１００の受け入れ先では、搬送用トレイから電子部品Ｐを取り出して、各電子部品Ｐの外観検査、機能テストなどの検査を行い、良品と判定された電子部品Ｐをさらに最終製品に組み込むなどの組立てを行う。
【００７１】
このとき、積み重ねられた複数の搬送用トレイ１００から１つ１つの搬送用トレイ１００を取り出す作業は、人手によってあるいはトレイ取出装置などにより自動で行ってもよく、さらに、各搬送用トレイ１００から電子部品Ｐを取り出す作業も、人がピンセットなどの器具を用いて行っても、あるいは部品取出装置により自動で行ってもよい。
【００７２】
なお、搬送用トレイ１００のトレイ容器１１０に形成した直線状溝１４０の、隣接する部品収納ポケットＳｐ１の間の部分は、部品取出装置により搬送用トレイ１００から電子部品Ｐを取り出す際に治具を電子部品Ｐの下面側に挿入するスペースとして利用されるようになっている。
【００７３】
このような構成の本実施形態１の搬送用トレイ１００では、電子部品Ｐを収納する複数の部品収納ポケットＳｐ１を有するトレイ本体１１０を含み、各部品収納ポケットＳｐ１を、電子部品Ｐを載置する載置面１１１と、該載置面１１１の一部に、該載置面１１１上に載置された電子部品Ｐの下側に空間Ｕｓが形成されるように形成した凹状部１３０とを有し、該凹状部１３０の内面に粘着部材Ａｍを、該載置面１１１上に載置された電子部品Ｐの底面に接触しないように設けた構造としたので、電子部品Ｐをこの搬送用トレイ１００に収納して搬送する搬送途中で、該電子部品Ｐから脱落した内部異物やゴミは、凹状部１３０の内面に設けた粘着部材Ａｍにより捕獲されることとなる。これにより、電子部品Ｐへの内部異物などの再付着を防ぐことができる。
【００７４】
例えば、この実施形態１のように搬送用トレイ１００により電子部品として固体撮像装置の光学系を構成する光学モジュールを搬送する場合、搬送時の振動により電子部品から脱落した内在異物が電子部品に再付着することにより外観不良が生じたり、光学モジュールの光路上へ異物が進入して撮像不良が生じたりするのを軽減することができる。
【００７５】
これにより、内部異物などの再付着による電子部品Ｐの歩留まりの低下を抑制する、つまり不良率を低減するとともに、電子部品Ｐの清浄性を高めることができ、その結果、電子部品Ｐを組み込んだ製品として、信頼性が高く、品質劣化のない電子機器などの物品を高い歩留まりで提供することができる。
【００７６】
また、この実施形態１の搬送用トレイ１００では、トレイ本体１１０に、凹状部１３０を形成する直線状溝１４０を、行方向（図１（ｂ）の紙面左右方向）に並ぶ複数の部品収納ポケットＳｐ１に跨って延びるように、部品収納ポケットＳｐ１の行毎に設けているので、凹状部１３０の内面に粘着部材Ａｍを付着する作業は、粘着部材Ａｍとしての粘着テープ、例えば、両面粘着性のシート及びフィルム状の部材を、該直線状溝１４０内に貼り付けることで、作業性よく行うことができる。
【００７７】
さらに、この粘着テープＡｍとして導電性を有するものを用いているので、プラスチック製のトレイ本体１１０に帯電した電荷を粘着テープＡｍにより逃がすことができ、各部品収納ポケットＳｐ１に収容された電子部品Ｐの特性、例えば電子部品Ｐに含まれるバネなどの特性が帯電により劣化するのを回避することができる。
【００７８】
また、この実施形態１の搬送用トレイ１００では、トレイ本体１１０の部品収納ポケットＳｐ１の凹状部１３０には、粘着部材Ａｍを、部品収納ポケットＳｐ１に収納された電子部品Ｐに接触しないように設けているので、電子部品への粘着部材Ａｍの転写の問題は基本的に発生しない。
【００７９】
ただし、粘着テープとして、粘着テープに含まれる粘着剤が無色のものを用いることにより、搬送用トレイへの電子部品の出し入れの作業中などに何らかに原因で粘着剤が電子部品Ｐに付着した場合でも、外観上あまり目立たないようにすることができ、一方、粘着テープとして、粘着テープに含まれる粘着剤が色付きのものを用いることにより、上記のように搬送用トレイへの電子部品の出し入れの作業中などに粘着剤が電子部品Ｐに付着した場合には、物品の粘着剤が付着した場所を見つけやすくなり、従って、電子部品への粘着剤の付着が電子部品の歩留まりを低下させる場合には、電子部品に付着した粘着剤を除去して電子部品の歩留まり低下を抑えるのに有効である。
【００８０】
なお、本発明に係る搬送用トレイは、複数の物品を搬送するためのものに限定されず、例えば、１つの部品収納ポケットを有し、１つの物品Ｐを搬送するための搬送用トレイであってもよい。
【００８１】
また、上記実施形態１の搬送用トレイ１００では、部品収納ポケットＳｐ１の凹状部１３０を形成する直線状溝１４０を、行方向（図１（ｂ）の紙面左右方向）に並ぶ複数の部品収納ポケットＳｐ１に跨って延びるように形成しているので、この直線状溝１４０がトレイ本体１１０の補強溝として機能することとなり、搬送用トレイ１００の図１（ｂ）の紙面左右方向における湾曲が生じ難い構造となっているのに対し、搬送用トレイ１００の図１（ｂ）の紙面上下方向では、トレイ本体の構成材料によっては比較的湾曲しやすい構造となっている場合がある。
【００８２】
そこで、列方向に隣接する部品収納ポケットに跨るように、直線状溝１４０より浅い補強用溝を形成し、搬送用トレイ１００の図１（ｂ）の紙面上下方向における湾曲が生じ難い構造としてもよい。この場合、補強用溝は、部品収納ポケットの奇数列では、紙面上から数えて奇数番目とその１つ下の偶数番目の隣接する部品収納ポケットの間に跨るよう形成し、部品収納ポケットの偶数列では、紙面上から数えて偶数番目とその１つ下の奇数番目の隣接する部品収納ポケットの間に跨るよう形成し、つまり、部品収納ポケットの奇数列における上下に隣接する部品収納ポケットに跨って形成される補強用溝と、部品収納ポケットの偶数列における上下に隣接する部品収納ポケットに跨って形成される補強用溝とが千鳥格子状に配列されるようにすることで、補強強度をより高めることができる。
【００８３】
（実施形態２）
図４は、本発明の実施形態２による搬送用トレイを説明する断面図であり、図１（ｂ）のＡ１−Ａ１’線部分に相当する断面の構造を示している。
【００８４】
この実施形態２の搬送用トレイ１００ａは、実施形態１の搬送用トレイ１００の部品収納ポケットＳｐ１の凹状部１３０とは断面形状が異なる凹状部１３０ａを有するものであり、実施形態１の部品収納ポケットＳｐ１の凹状部１３０を形成する断面逆台形形状の直線状溝１４０に代わる、部品収納ポケットＳｐ２の凹状部１３０ａを形成する直線状溝１４０ａをトレイ本体１１０ａに形成したものであり、その他の構成は上記実施形態１におけるものと同一である。
【００８５】
つまり、この実施形態２の搬送用トレイ１００ａは、電子部品Ｐを収納する複数の収納部（部品収納ポケット）Ｓｐ２を有するトレイ本体１１０ａを含み、各部品収納ポケットＳｐ２には、該電子部品Ｐを載置する載置面１１１が形成され、該載置面１１１の一部には、該載置面上に載置された該電子部品Ｐの下側に空間Ｕｓが形成されるように２段構造の凹状部１３０ａが形成されている。
【００８６】
ここでは、凹状部１３０ａが、上記載置面１１１に形成された第１の凹部１３０ａ１と、該第１の凹部１３０ａ１の底面１３１ａ１に形成された第２の凹部１３０ａ２とを含む２段の凹状構造となるように、上記実施形態１の直線状溝１４０に相当する直線状溝１４０ａの長手方向と垂直な面での断面形状を、該直線状溝１４０ａの上部の幅が下部の幅より広い形状としたものである。また、第２の凹部１３０ａ２の底面１３１ａ２には粘着部材Ａｍが設けられている。
【００８７】
このような構成の本実施形態２の搬送用トレイ１００ａでは、部品収納ポケットＳｐ２の、粘着部材Ａｍを設ける凹状部１３０ａを、部品収納ポケットＳｐ２の電子部品Ｐを載置する載置面１１１に形成された第１の凹部１３０ａ１と、該第１の凹部１３０ａ１の底面１３１ａ１に形成された第２の凹部１３０ａ２とを含む２段の凹状構造とし、第２の凹部１３０ａ２の底面１３１ａ２に粘着部材Ａｍを設けているので、実施形態１の効果に加えて、粘着部材Ａｍとして半固体状の粘着剤を用い、この粘着剤を第２の凹部１３０ａ２の底面１３１ａ２に塗布する際に、粘着剤の塗布量が多すぎて粘着剤が第２の凹部１３０ａ２を溢れた場合でも、第２の凹部１３０ａの上側にこれより幅の広い第１の凹部１３０ａ１が形成されていることから、粘着剤が部品収納ポケットＳｐ２の載置面１１１に載置された電子部品Ｐの裏面Ｐｂｓに付着し難いという効果が得られる。
【００８８】
（実施形態３）
図５は、本発明の実施形態３による搬送用トレイを説明する断面図であり、図１（ｂ）のＡ１−Ａ１’線部分に相当する断面の構造を示している。
【００８９】
この実施形態３の搬送用トレイ１００ｂは、実施形態１の搬送用トレイ１００における部品収納ポケットＳｐ１の断面逆台形形状の凹状部１３０に代えて、断面逆三角形形状の凹状部１３０ｂを備えたものであり、その他の構成は実施形態１におけるものと同一である。
【００９０】
つまり、この実施形態３の搬送用トレイ１００ｂは、電子部品Ｐを収納する複数の収納部（部品収納ポケット）Ｓｐ２を有するトレイ本体１１０ｂを含み、各部品収納ポケットＳｐ２には、該電子部品Ｐを載置する載置面１１１が形成され、該載置面１１１の一部には、該載置面上に載置された該電子部品Ｐの下側に空間Ｕｓが形成されるように断面逆三角形形状の凹状部１３０ｂが形成されている。
【００９１】
ここでは、凹状部１３０ｂの断面形状が逆三角形形状となるように、上記実施形態１の直線状溝１４０に相当する直線状溝１４０ｂの長手方向と垂直な面での断面形状を、該直線状溝１４０ｂの幅がこの直線状溝の浅い位置ほど広くなるように連続的に変化した逆三角形形状としたものである。つまり、この実施形態３では、載置面の下側の凹状部１３０ｂを形成する直線状溝をＶ字形状としている。また、凹状部１３０ｂ内には粘着部材Ａｍ１が、該載置面１１１上に載置された該電子部品Ｐの底面Ｐｂｓに接触しないように設けられている。ここでは、粘着部材Ａｍ１は、半固体状の粘着剤Ａｍ１を直線状溝１４０ｂ内にその全長に渡って塗布して乾燥により固化したものである。
【００９２】
このような構成の本実施形態３の搬送用トレイ１００ｂでは、部品収納ポケットＳｐの、粘着部材Ａｍ１を設ける凹状部１３０ｂを断面逆三角形形状としたので、実施形態１の効果に加えて、この粘着剤を凹状部１３０内に粘着部材Ａｍとして塗布する半固体状の粘着剤の量を少なくすることができ、材料費の削減を図ることができるという効果が得られる。
【００９３】
さらに、この実施形態３では、搬送用トレイ１００ｂの部品収納ポケットＳｐ２における載置面の下側の凹状部１３０ｂを、Ｖ字形状の直線状溝１４０ｂにより構成しているので、搬送用トレイ１００ｂを構成するトレイ本体１１０ｂの金型を作りやすくできるという効果が得られる。
【００９４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００９５】
本発明は、搬送用トレイの分野において、電子機器あるいはその部品などの物品の搬送中に該物品から脱落した内部異物やゴミを捕獲して、物品への内部異物などの再付着を防ぐことができ、これにより、脱落した内部異物などの再付着による物品の歩留まりの低下を抑えるとともに、物品の清浄性を高めることができ、その結果、製品として、信頼性が高く、品質劣化のない電子機器などの物品を高い歩留まりで提供可能とする搬送用トレイを実現することができる。
【符号の説明】
【００９６】
３０  筐体
３０ａ  開口部
１００、１００ａ、１００ｂ  搬送用トレイ
１１０、１１０ａ、１１０ｂ  トレイ本体
１１１  載置面
１２１  １段目の凹部
１２１ａ、１２２ａ  側壁
１２２  ２段目の凹部
１２２ｂ  当接リブ（突出部）
１３０、１３０ａ、１３０ｂ  凹状部
１３０ａ１  第１の凹部
１３０ａ２  第２の凹部
１３１ａ１、１３１ａ２、１４１  底面
１４０、１４０ａ、１４０ｂ  直線状溝
Ａｍ、Ａｍ１  粘着部材
Ｐ  物品（電子部品）
Ｐｂｓ  物品の底面
Ｐｓｓ  物品の側面
Ｓｐ１、Ｓｐ２、Ｓｐ３  部品収納ポケット（収納部）
Ｕｓ  空間
【図１】
0006025389.tif 000002
【図２】
0006025389.tif 000003
【図３】
0006025389.tif 000004
【図４】
0006025389.tif 000005
【図５】
0006025389.tif 000006
【図６】
0006025389.tif 000007
【図７】
0006025389.tif 000008
【図８】
0006025389.tif 000009